(57)【要約】【課題】シート部材がリード線やＦＰＣを覆う構成において外観カバーを組み立てやすい撮像装置を提供すること。【解決手段】本体ユニット１０１と、外観を構成する前部カバー底面１１０ａと、前記前部カバー底面１１０ａに設けられる前部カバー押さえ腕１１０ｂと、前記前部カバー底面１１０ａと同一面の外観を構成する後部カバー底面１２０ａと、電子部品１０９を覆い前記本体ユニット１０１に保持されるシート部材１０７とを備え、前記シート部材１０７は前記前部カバー底面１１０ａと前記後部カバー底面１２０ａの合わせ部１００ａを跨ぐように配置され、前記合わせ部１００ａに対して一方は接着固定され、もう一方は前記前部カバー押さえ腕１１０ｂに接触して保持されることを特徴とする。【選択図】図２
2018180315.tif 000002
【特許請求の範囲】
【請求項１】
本体ユニットと、
外観を構成する前部カバー底面と、
前記前部カバー底面に設けられる前部カバー押さえ腕と、
前記前部カバー底面と同一面の外観を構成する後部カバー底面と、
電子部品を覆い前記本体ユニットに保持されるシート部材とを備え、
前記シート部材は前記前部カバー底面と前記後部カバー底面の合わせ部を跨ぐように配置され、前記合わせ部に対して一方は接着固定され、もう一方は前記前部カバー押さえ腕に接触して保持されることを特徴とする撮像装置。
【請求項２】
前記シート部材は黒色であり、前記合わせ部にでき得る隙間から前記本体ユニットが不可視であることを特徴とする請求項１に記載の撮像装置。
【請求項３】
前記後部カバー底面は後部カバー押さえ腕を備え、前記後部カバー押さえ腕により前記前部カバー底面は沈み込みが規制され、前記後部カバー底面はめくれが規制され、
前記前部カバー押さえ腕により前記前部カバー底面はめくれが規制され、前記後部カバー底面は沈み込み規制されることを特徴とする請求項１に記載の撮像装置。
【発明の詳細な説明】
【技術分野】
【０００１】
本発明は、複数のカバーを組み合わせて外観を構成する撮像装置に関する。
【背景技術】
【０００２】
デジタルカメラなどの携帯可能な撮像装置は、複数の外観カバーや液晶モニターを用いて外観を形成しているものが多く、その内部には電子回路や電子回路を相互に接続するリード線やフレキシブルプリント基板（ＦＰＣ）などの様々な部品が収容されている。このようなデジタルカメラの外観カバーを組み立てる際に、外観カバーによってリード線やＦＰＣを挟み込んで断線させないため、また、金属の外観カバーに対して絶縁するなどの目的でシート部材が設けられることがある。
【０００３】
特許文献１に示すように、シート部材がデジタルカメラ内部のリード線やＦＰＣを覆うことでこれらのズレを防ぎ断線を阻止する機構が開示されている。
【先行技術文献】
【特許文献】
【０００４】
【特許文献１】特開２００１−７５６９号公報
【発明の概要】
【発明が解決しようとする課題】
【０００５】
しかしながら、特許文献１では、シート部材の固定については開示されていない。このため、シート部材を組み立てた後のハンドリング時にシート部材が脱落する恐れがあった。また、外観カバー組立ての際にシート部材がリード線やＦＰＣに押されて浮き上がるために組立性が低下する恐れもあった。
【０００６】
本発明の目的は、このような従来技術の問題点に鑑みて成されたものであり、シート部材がリード線やＦＰＣを覆う構成において外観カバーを組み立てやすい撮像装置を提供することにある。
【課題を解決するための手段】
【０００７】
上記の目的を達成するために、本発明に係る撮像装置は、
本体ユニットと、外観を構成する前部カバー底面と、前記前部カバー底面に設けられる前部カバー押さえ腕と、前記前部カバー底面と同一面の外観を構成する後部カバー底面と、電子部品を覆い前記本体ユニットに保持されるシート部材とを備え、前記シート部材は前記前部カバー底面と前記後部カバー底面の合わせ部を跨ぐように配置され、前記合わせ部に対して一方は接着固定され、もう一方は前記前部カバー押さえ腕に接触して保持されることを特徴とする。
【発明の効果】
【０００８】
本発明によれば、シート部材がリード線やＦＰＣを覆う構成において外観カバーを組み立てやすい撮像装置を提供することができる。
【図面の簡単な説明】
【０００９】
【図１】本発明の実施形態に係るデジタルカメラの外観を示す斜視図である。
【図２】本発明の実施形態に係るデジタルカメラ本体の内部と外観カバーの構成を説明するための斜視図である。
【図３】本発明の実施形態に係る本体ユニットとシート部材の位置関係を示す図である。
【図４Ａ】本発明の実施形態に係る本体ユニットへの外観カバーの組み立てについて示す図である。
【図４Ｂ】本発明の実施形態に係る本体ユニットへの外観カバーの組み立てについて示す図である。
【図５】本発明の実施形態に係るすべての外観カバーを組み立てたデジタルカメラ本体の底面を示す図である。
【発明を実施するための形態】
【００１０】
以下に、本発明の好ましい実施の形態を、添付の図面に基づいて詳細に説明する。ここでは、本発明に係る電子機器としてデジタルカメラを例に説明することとするが、本発明はこれに限定されるものではない。なお、本実施例では同一機能を示すものは同一番号、同一名称で記すものとする。
【００１１】
図１は、本発明の実施形態に係るデジタルカメラの外観を示す斜視図である。図１（ａ）はデジタルカメラを正面側の斜め上方から見た外観斜視図である。
【００１２】
同図において、デジタルカメラ本体１００はデジタルカメラの主要要素を収容する筐体であり、その正面側には被写体の光線を光学像として結像する結像部と、その光学像を電気信号に変換するための撮像素子（不図示）を備える撮像ユニット１０２が設けられている。また、デジタルカメラ本体１００の天面側には、各種撮影モードを切り替えるモードダイヤル１０３とデジタルカメラ本体１００の動作／非動作状態を切り替える電源ボタン１０４と操作されることで撮影を行うレリーズボタン１０５が配置されている。
【００１３】
ここで、デジタルカメラ本体１００に電源である図示しない電池が装着され、かつ非動作状態において、ユーザーが電源ボタン１０４を押下するとデジタルカメラ本体１００は動作状態となる。そして、撮像ユニット１０２の沈胴式の鏡筒部がデジタルカメラ本体１００から突出する様に繰り出され撮影可能な状態となる。デジタルカメラ本体１００が動作状態において、ユーザーが電源ボタン１０４を押下すると沈胴式の鏡筒部が繰り込まれてデジタルカメラ本体１００に収納され非動作状態になる。
【００１４】
図１（ｂ）はデジタルカメラ本体１００の背面斜視図である。
【００１５】
同図において、デジタルカメラ本体１００の背面側には、各種機能が割り当てられた操作ボタン１０６や画像を表示する液晶モニター１１０が設けられている。
【００１６】
ここで、デジタルカメラ本体１００が動作状態の時、ユーザーがレリーズボタン１０５を押下すると撮影準備動作（焦点検出動作および測光動作）を経て被写体を撮影することができる。撮影後、図１（ａ）に示す撮像ユニット１０２から得られた電気信号は不図示の電気回路により所定の処理を施され不図示の外部記録媒体（ＳＤカード）に画像データとして記録される。また、デジタルカメラ本体１００が動作状態でモードダイヤル１０３を回転させるとシャッター速度と絞り値をユーザーが任意に設定可能なマニュアル撮影モード、自動で適正な露光量が得られるオート撮影モード、動画撮影モードといった各種撮影モードに切り替えることができる。また、デジタルカメラ本体１００が動作状態である時、液晶モニター１１０には図１（ａ）に示す撮像ユニット１０２から出力される被写体像がリアルタイムで表示される。同時に、シャッタースピードや絞り値といった各種撮影パラメータ等が表示され、ユーザーは操作ボタン１０６を操作することにより撮影パラメータの設定値の変更が可能となっている。
【００１７】
次に、デジタルカメラ本体１００の内部と外観カバーの構成について説明する。図２はデジタルカメラ本体１００の内部と外観カバーの構成を説明するための斜視図である。図２（ａ）はデジタルカメラ本体１００の底面側の分解斜視図である。
【００１８】
同図において、Ｘ方向はデジタルカメラ本体１００の背面に対し垂直な方向であり、背面から正面に向かう方向をＸ方向、その逆方向を−Ｘ方向と記す。また、Ｙ方向はデジタルカメラ本体１００の底面に対し垂直な方向であり、底面から天面に向かう方向をＹ方向、その逆方向を−Ｙ方向と記す。また、Ｚ方向はデジタルカメラ本体１００の側面に対し垂直な方向であり、電池室１０８から撮像ユニット１０２に向かう方向をＺ方向、その逆方向を−Ｚ方向と記す。なお、以下の説明で用いる方向の表記はすべて同じ方向を示している。
【００１９】
本体ユニット１０１はデジタルカメラ本体１００の内部の構成部品である。なお、詳細については後述する。また、シート部材１０７は本体ユニット１０１の底面に保持されるシートであり、後述する不図示のＦＰＣ１０９を覆い保護するための部品である。なお、シート部材１０７の詳細についても後述する。また、前部カバー１１０はデジタルカメラ本体１００の正面の外観を構成する外観カバーであり、デジタルカメラ本体１００の底面の一部外観を構成する前部カバー底面１１０ａを有している。また、後部カバー１２０はデジタルカメラ本体１００の背面の外観を構成する外観カバーであり、デジタルカメラ本体１００の底面の一部外観を構成する後部カバー底面１２０ａを有している。なお、シート部材１０７と前部カバー１１０と後部カバー１２０は本体ユニット１０１に対して組み立てられる部品である。まず、シート部材１０７は本体ユニット１０１に対して＋Ｙ方向に向かって組み立てられ、その後に前部カバー１１０、後部カバー１２０の順番で本体ユニット１０１に組み立てられる。このとき、前部カバー１１０は−Ｘ方向、後部カバー１２０はＸ方向に向かって組み立てられる。
【００２０】
次に、本体ユニット１０１とシート部材１０７の構成について図２（ｂ）を用いて説明する。図２（ｂ）は本体ユニット１０１の底面側の分解斜視図である。
【００２１】
同図において、本体ユニット１０１は撮像ユニット１０２と電池室１０８と電子基板１０８ａとＦＰＣ１０９と上部カバー１０１ｂで構成されている。撮像ユニット１０２は不図示のレンズを収容するためのレンズ収容部１０２ａを持ち、その外形のほとんどは円柱形状である。また、電池室１０８は不図示の電池を収容する部品であり、その底面側には電池を挿抜するための蓋１０８ｂや三脚を取り付けるための三脚座１０８ｃが設けられている。なお、この蓋１０８ｂや三脚座１０８ｃは外観面を構成している。また、電子基板１０８ａは前述したデジタルカメラの機能を実現するための所定の処理を行う電子部品を搭載した基板であり、電池室１０８の背面に保持されている。また、ＦＰＣ１０９は撮像ユニット１０２の制御信号を伝達する部品であり、撮像ユニット１０２に保持され電子基板１０８ａに接続される。また、上部カバー１０１ｂは前部カバー１１０や後部カバー１２０以外の外観カバーを含む部品であり、前述したデジタルカメラの機能を実現するための部品および機構を備えている。ここで、ＦＰＣ１０９は撮像ユニット１０２の背面側で電子基板１０８ａと接続され、撮像ユニット１０２の背面側を沿い底面側へ９０度折り曲げられて配線されている。したがって、ＦＰＣ１０９の折り曲げられた箇所が平面に戻ろうとするため、撮像ユニット１０２の底面側においてＦＰＣ１０９は−Ｙ方向に浮き上がることとなる。ここで、シート部材１０７はＦＰＣ１０９を覆うように撮像ユニット１０２の底面に組み立てられるが、ＦＰＣ１０９が−Ｙ方向に浮き上がろうとするため、シート部材１０７を撮像ユニット１０２の底面に単純に載せてしまうとシート部材１０７の保持が困難となる。
【００２２】
そこで、次にシート部材１０７の保持について説明する。図３はシート部材１０７の保持について示す図であり、図３（ａ）はシート部材１０７を組み立てた本体ユニット１０１の底面を示す図である。
【００２３】
同図において、シート部材１０７は貼り付け部１０７ａにより本体ユニット１０１に固定される。ここで、貼り付け部１０７ａは図３（ａ）に示すシート部材１０７の見えている面を表面とした時の裏面側に設けられる両面テープであり、シート部材１０７の片面で少なくとも１箇所以上に設けられている。また、貼り付け部１０７ａの内の１箇所である正面側貼り付け部１０７ａ１はＦＰＣ１０９の近傍、かつ、本体ユニット１０１の正面側に設けられている。また、シート部材１０７は位置決め穴１０７ｂを備えており、この位置決め穴１０７ｂと本体ユニット１０１に設けられる位置決めボス１０１ａが係合することで、シート部材１０７は本体ユニット１０１に対して位置が決められて固定可能となっている。なお、この正面側貼り付け部１０７ａ１の位置は外観カバーの組立順により決められており、本実施例では前部カバー１１０を先に組み立てることから正面側に設けられている。したがって、後部カバー１２０を先に組み立てる場合は背面側に設けられることとなる。また、シート部材１０７の材質は、薄くて柔らかい絶縁体であればよく、例えば、ＰＥＴや紙などを用いても良い。
【００２４】
次に、シート部材１０７の端部の保持について説明する。図３（ｂ）は図３（ａ）に示す矢印Ａの近傍の背面図である。同図において、ＦＰＣ１０９は本体ユニット１０１の底面においてシート部材１０７の端部１０７ｃに覆われているが、この端部１０７ｃには貼り付け部１０７ａの設けられていない。これは、ＦＰＣ１０９上に電子部品が実装されていることから、シート部材１０７の貼り付け面を確保することが困難であるためだ。ここで、ＦＰＣ１０９は本体ユニット１０１の底面側において屈曲部１０９ａを備え、屈曲部１０９ａでＦＰＣ１０９を約１８０°折り返している。したがって、複数回折り曲げられたＦＰＣ１０９は−Ｙ方向に浮こうとするため、これを覆うシート部材１０７には−Ｙ方向に押し上げる力が働くこととなる。しかし、シート部材１０７の端部１０７ｃは電池室１０８の三脚座１０８ｃと撮像ユニット１０２の間に挟まれて配置されていることから、端部１０７ｃは電池室１０８の三脚座１０８ｃに干渉し浮きが抑制される。
【００２５】
以上で説明したことから、シート部材１０７を組み立てた本体ユニット１０１はハンドリングしやすい構成となっている。
【００２６】
次に、本体ユニット１０１への外観カバーの組み立てについて説明する。図４Ａ、図４Ｂは本体ユニット１０１への外観カバーの組み立てについて示す図であり、図４Ａの（ａ）はシート部材１０７を保持する本体ユニット１０１（図３（ａ））に前部カバー１１０を組み立てる前の状態を示している。
【００２７】
同図において、前部カバー押さえ腕１１０ｂは前部カバー１１０の前部カバー底面１１０ａから−Ｘ方向に突出して設けられており、Ｚ方向においては電池室１０８と正面側貼り付け部１０７ａ１の間に位置している。この前部カバー押さえ腕１１０ｂについて図４Ａの（ｂ）を用いて説明する。
【００２８】
図４Ａの（ｂ）は（ａ）のＢ−Ｂ断面を示す断面図である。同図において、前部カバー押さえ腕１１０ｂは前部カバー１１０の前部カバー底面１１０ａとＹ方向において重ならない位置に設けられており、前部カバー底面１１０ａとシート部材１０７の間に位置している。ここで、図３（ｂ）で説明したようにシート部材１０７は正面側貼り付け部１０７ａ１と電池室１０８の三脚座１０８ｃにより、前部カバー押さえ腕１１０ｂ付近での−Ｙ方向への浮きが規制されている。したがって、前部カバー１１０の組み立ての際、シート部材１０７が前部カバー押さえ腕１１０ｂや前部カバー底面１１０ａと干渉することはない。
【００２９】
図４Ａの（ａ）に示す状態から前部カバー１１０を所定の位置まで組み立て、後部カバー１２０を組み立てる前の状態を図４Ｂの（ｃ）に示す。
【００３０】
同図において、前部カバー１１０の前部カバー底面１１０ａはシート部材１０７の一部を覆うように保持されている。また、後部カバー押さえ腕１２０ｂは後部カバー１２０の後部カバー底面１２０ａから＋Ｚ方向に突出して設けられている。この後部カバー押さえ腕１２０ｂについて図４Ｂの（ｄ）を用いて説明する。
【００３１】
図４Ｂの（ｄ）は（ｃ）のＣ−Ｃ断面を示す断面図である。同図において、後部カバー押さえ腕１２０ｂは後部カバー底面１２０ａから＋Ｙ方向に突出しており、後部カバー底面１２０ａとシート部材１０７の間に設けられている。ここで、シート部材１０７はＦＰＣ１０９の屈曲部１０９ａにより−Ｙ方向に押し上げられようとするが、先に組み立てた前部カバー１１０の前部カバー押さえ腕１１０ｂにより浮きが抑制される。したがって、前部カバー押さえ腕１１０ｂと電池室１０８の三脚座１０８ｃによって、後部カバー押さえ腕１１０ｂ付近のＺ方向における両端が押さえられているため、後部カバー１２０の組み立ての際、シート部材１０７は後部カバー押さえ腕１２０ｂや後部カバー底面１２０ａと干渉することはない。
【００３２】
以上で説明したことから、ＦＰＣ１０９は外観カバーの組み立ての際にシート部材１０７により保護されていると言え、また、外観カバーの組立性はシート部材１０７により低下することはないと言える。
【００３３】
次に、すべての外観カバーを組み立てたデジタルカメラ本体１００について説明する。図５はすべての外観カバーを組み立てたデジタルカメラ本体１００の底面を示す図である。
【００３４】
同図において、前部カバー１１０の前部カバー底面１１０ａと後部カバー１２０の後部カバー底面１２０ａはデジタルカメラ本体１００の底面においてカバー合わせ部１００ａを構成しており、このカバー合わせ部１００ａを含めて底面の外観を構成している。また、シート部材１０７はカバー合わせ部１００ａに跨って配置されている。したがって、経年変化などによりカバー合わせ部１００ａに隙間ができた場合、デジタルカメラ本体１００の使用者はこの隙間からシート部材１０７が見える状態となってしまう。ここで、シート部材１０７の材質を不透明な黒色のシートとすることで、シート部材１０７の奥にある不図示の本体ユニット１０１はデジタルカメラ本体１００の使用者には見えない構成とすることができる。また、前部カバー押さえ腕１１０ｂは後部カバー底面１２０ａに覆われて配置され、後部カバー押さえ腕１２０ｂは前部カバー底面１１０ａに覆われて配置されている。したがって、前部カバー押さえ腕１１０ｂ付近において、前部カバー底面１１０ａは前部カバー押さえ腕１１０ｂと後部カバー底面１２０ａの接触により浮きが抑制される。また、後部カバー押さえ腕１２０ｂ付近において、前部カバー底面１１０ａは後部カバー押さえ腕１２０ｂと前部カバー底面１１０ａの接触により沈み込みが抑制される。同様に、後部カバー底面１２０ａは後部カバー押さえ腕１２０ｂ付近での浮き上がりや前部カバー押さえ腕１１０ｂ付近での沈み込みが抑制される。
【００３５】
以上で説明したことから、デジタルカメラの使用者が外観カバーの隙間から本体ユニット１０１やＦＰＣ１０９などの内部部品を不可視な構成とすることができるため、外観カバーに隙間ができた場合でもデジタルカメラの外観品質を維持可能である。また、デジタルカメラに落下などで衝撃を与えてしまった場合でも外観カバーの浮き沈みを抑制できるためデジタルカメラの外観品質を維持可能であると言える。
【００３６】
以上、本発明の好ましい実施形態について説明したが、本発明はこれらの実施形態に限定されず、その要旨の範囲内で種々の変更が可能であり、デジタルカメラに限らず、複数のカバーを組み合わせて外観を形成する電子機器に適応可能である。
【符号の説明】
【００３７】
１０１  本体ユニット、１０７  シート部材、１０９  電子部品、
１１０ａ  前部カバー底面、１１０ｂ  前部カバー押さえ腕、
１２０ａ  後部カバー底面
【図１】
2018180315.tif 000003
【図２】
2018180315.tif 000004
【図３】
2018180315.tif 000005
【図４Ａ】
2018180315.tif 000006
【図４Ｂ】
2018180315.tif 000007
【図５】
2018180315.tif 000008